(57)【要約】【課題】櫛の把持に対する滑り止め機能を向上させると共に、指先に付着した液分を速やかに除去できるようにした上で、櫛をしなやかに変形できるようにする。【解決手段】櫛１は、櫛本体２の背面部２ａに凹凸面６を形成し、凹凸面６の凹部６ａに孔８を形成する一方、櫛本体２の両側の側面部２ｂ、２ｃに湾曲面７を形成し、湾曲面７の凹箇所７ａに孔８と連通する貫通孔９を形成する。ユーザが背面部２ａに指を当てる場合、凹凸面６及び孔８が滑り止めとして機能し、側面部２ｂ、２ｃに指を当てる場合は、湾曲面７及び貫通孔９が滑り止めとして機能する。孔８及び貫通孔９は連通しているので通気性があるため、孔８及び貫通孔９に位置する指は乾きやすくなり、さらに孔８及び貫通孔９の存在により櫛本体２の剛性が低下し、櫛１が柔軟に曲がりやすくなる。【選択図】図１
2010094564.tif 000002
【特許請求の範囲】
【請求項１】
複数本の櫛歯を櫛本体に設けた櫛において、
前記櫛本体の厚み方向に対応する両側面には、複数の凹箇所及び凸箇所が交互に形成してあり、
一方の側面に形成された複数の凹箇所及び凸箇所の位置と、他方の側面に形成された複数の凹箇所及び凸箇所の位置は、前記櫛本体の長手方向で同位置にしてあり、
前記櫛本体には、前記櫛本体の厚み方向に貫通する複数の貫通孔が、前記複数の凹箇所のそれぞれに開口周縁が位置するように形成してあることを特徴とする櫛。
【請求項２】
前記貫通孔の両側面の開口周縁にはテーパー状のザグリ部が形成してある請求項１に記載の櫛。
【請求項３】
前記櫛本体の背面には、複数の凹部及び凸部が交互に形成してある請求項１又は請求項２に記載の櫛。
【請求項４】
前記複数の凹部と、前記複数の凹箇所の位置は、前記櫛本体の長手方向で同位置にしてあり、
前記複数の凸部と、前記複数の凸箇所の位置は、前記櫛本体の長手方向で同位置にしてある請求項３に記載の櫛。
【発明の詳細な説明】
【技術分野】
【０００１】
本発明は、櫛本体の各部に孔及び凹凸を設けることにより、滑り止め機能およびユーザの指先に付着した液分の除去機能等を一段と向上させると共に、櫛本体の剛性を弱めてユーザの使い勝手に合わせて柔軟に曲げやすくした櫛に関する。
【背景技術】
【０００２】
従来、滑り止め等に関する機能を具備した櫛として、様々なタイプのものが存在する。たとえば、下記の特許文献１に係る櫛は、櫛歯を突設する櫛本体の側面部分に複数の凸部を設けて滑り止め機能を実現しており、特許文献２に係る櫛は、櫛本体から突出する棒状の把持部の側面部分に滑り止め機能を担う凸部（係止部）を形成している。
【０００３】
また、櫛の厚み方向に櫛本体を貫通する貫通孔を形成し、これらの貫通孔を滑り止めとして機能させると共に、ユーザの指先に付着した薬液・水分などの液体を貫通孔の縁で拭い取れるようにした櫛が下記の特許文献３、４で開示されている。さらに、櫛本体の側面部に設けた溝または貫通孔に摩擦係数が大きい材料を充填して滑り止め部を形成した櫛が下記の特許文献５で開示されている。
【先行技術文献】
【特許文献】
【０００４】
【特許文献１】実用新案登録第３１１４８８１号公報
【特許文献２】実用新案登録第３１０７３９９号公報
【特許文献３】特開平９−１３１２１５号公報
【特許文献４】実用新案登録第２５８４４２６号公報
【特許文献５】特開２００５−３０４７２０号公報
【発明の概要】
【発明が解決しようとする課題】
【０００５】
櫛のユーザである美容師・理容師は、自らに適した持ち方で櫛を持つことが一般的であると共に、整髪状況に応じて櫛の持ち方を使い分ける場合も多い。たとえば、人差し指を櫛本体の背面部（櫛歯を設けた側と反対側となる部分）に当てる持ち方や、櫛本体の側面部に指を当てる持ち方などが、ユーザにより適宜使い分けられる。
【０００６】
上述した各特許文献１〜５で開示される櫛の中で、櫛本体の背面部に、滑り止め等の機能を具備したものは存在しない。そのため特に、人差し指を櫛本体の背面部に当てる持ち方をするユーザにとって、上述した各特許文献１〜５で開示される櫛は、背面部における滑り止め等の機能が不充分であった。
【０００７】
また、櫛本体の側面部に指を当てて櫛を持つユーザに対しては、特許文献１、２に示す凸部、または特許文献３、４に示す貫通孔により、滑り止め等の機能は提供されるが、現実的な使用状況を考えると、櫛を持つ際、側面部に当てるユーザの指先を、特許文献１、２に示す凸部、または特許文献３、４に示す貫通孔の位置に合わせるための配慮が必要になり、櫛を持つ際、ユーザに煩わしさを感じさせることになる。さらに、ユーザである美容師・理容師は、カット時または整髪時などに、カットまたは整髪の対象となる人の頭部形状に沿わして櫛を曲げて使用することもあるが、従来の櫛は櫛本体の剛性が基本的に高く、曲げにくいと云う問題があった。なお、櫛の形状としては一般に、棒状の把持部を櫛本体から突出させたタイプと、突出する把持部を設けていないタイプに大別され、ユーザは使用状況に応じて、これらのタイプの櫛を使い分けることになる。
【０００８】
本発明は、斯かる問題に鑑みてなされたものであり、ユーザが櫛本体の側面部に指を当てて櫛を持つ場合でも、滑り止めの機能を果たす所定の位置へ、容易に指先を合わせられるようにした櫛を提供することを目的とする。
さらに、本発明は、上述した各機能を確保した上で櫛の全体的な剛性を低くして、ユーザが使用状況に合わせて容易に曲げられるようにした櫛を提供することを目的とする。
【課題を解決するための手段】
【０００９】
上記課題を解決するために本発明に係る櫛は、複数本の櫛歯を櫛本体に設けた櫛において、前記櫛本体の厚み方向に対応する両側面には、複数の凹箇所及び凸箇所が交互に形成してあり、一方の側面に形成された複数の凹箇所及び凸箇所の位置と、他方の側面に形成された複数の凹箇所及び凸箇所の位置は、前記櫛本体の長手方向で同位置にしてあり、前記櫛本体には、前記櫛本体の厚み方向に貫通する複数の貫通孔が、前記複数の凹箇所のそれぞれに開口周縁が位置するように形成してあることを特徴とする。
【００１０】
また、本発明に係る櫛は、前記貫通孔の両側面の開口周縁にはテーパー状のザグリ部が形成してあることを特徴とする。
【００１１】
さらに、本発明に係る櫛は、前記櫛本体の背面には、複数の凹部及び凸部が交互に形成してあることを特徴とする。
【００１２】
さらにまた、本発明に係る櫛は、前記複数の凹部と、前記複数の凹箇所の位置は、前記櫛本体の長手方向で同位置にしてあり、前記複数の凸部と、前記複数の凸箇所の位置は、前記櫛本体の長手方向で同位置にしてあることを特徴とする。
【００１３】
本発明にあっては、櫛本体の側面部に複数の凹凸からなる湾曲面を形成したので、側面部に指を当てて櫛を把持する場合、湾曲面の凹凸に指先がなじみやすくなり、ユーザが特に指先の位置に注意を払わなくても、湾曲面で滑り止め機能を発揮できるようになる。
【００１４】
なお、湾曲面の窪んだ凹部に、ユーザの指先を収めて滑り止め機能を発揮させる場合は、凹部内に指先を収められるように、凹部の寸法および凹凸の間隔寸法等を適宜設定することになる。
【００１５】
本発明にあっては、櫛本体の側面部に湾曲面を形成すると共に、湾曲面の凹の箇所に開口するように貫通孔を形成したので、湾曲の凹形状に導かれてユーザの指先が貫通孔の位置へ自然と案内されるようになる。そのため、櫛本体の側面部に指を当てて櫛を使用する場合、ユーザが特段注意を払わなくても、ユーザの指先が側面部の貫通孔に自然と導かれ、滑り止め機能が容易に発揮されると共に、指先に付着した液分も拭い取りやすくなる。
【発明の効果】
【００１６】
本発明にあっては、櫛本体の側面部に湾曲面を形成することで、ユーザが特に指先の位置に注意を払わなくても、湾曲面で滑り止め機能を発揮できる。
【００１７】
また、本発明にあっては、櫛本体の側面部に湾曲面を形成すると共に、湾曲面の凹の箇所に貫通孔を形成することにより、湾曲面の凹形状で櫛を把持する指先を貫通孔へ案内して、滑り止め等の機能を使いやすくできる。
【図面の簡単な説明】
【００１８】
【図１】本発明の実施形態に係る櫛の斜視図である。
【図２】（ａ）は側面方向から見た櫛本体および櫛歯等の要部に係る要部拡大図、（ｂ）は図１のＡ−Ａ線における要部断面図である。
【図３】（ａ）は背面方向から見た櫛本体等の要部に係る要部拡大図、（ｂ）は図２（ａ）のＢ−Ｂ線における要部断面図である。
【図４】（ａ）は櫛本体の背面部に指を当てた状態を示す拡大断面図、（ｂ）は孔で指先を拭う状態を示す拡大断面図である。
【図５】櫛本体の側面部に指を当てた状態を示す要部断面図である。
【図６】櫛の曲がり状態を示す概略図である。
【図７】本発明の別の実施形態に係る櫛であり、（ａ）は側面方向からの外観図、（ｂ）は背面方向からの外観図である。
【図８】本発明の変形例に係る櫛の斜視図である。
【図９】本発明の別の変形例に係る櫛の斜視図である。
【図１０】本発明のさらに別の変形例に係る櫛の斜視図である。
【図１１】本発明のさらに別の他の変形例に係る櫛の斜視図である。
【発明を実施するための形態】
【００１９】
図１は、本発明の実施形態に係る櫛１を示す斜視図である。本実施形態の櫛１は合成樹脂製の一体成型品であり、長手方向の一方側へ突設する棒状の把持部５を有するタイプの櫛である。櫛１は、複数本の櫛歯１５を並列的に設けた櫛本体２を有し、この櫛本体２に孔８、貫通孔９を形成すると共に、櫛本体２の表面に凹凸面６及び湾曲面７等を形成したことを特徴にしている。以下、第１実施形態に係る櫛１について詳説する。なお、図１中のＸ方向は櫛１の長手方向（把持部５の長手方向と同じ方向）に対応し、Ｙ方向は櫛１の厚み方向（櫛１の幅方向。Ｘ方向と直交する方向）に対応し、Ｚ方向は櫛歯１５の突設方向に対応し（Ｘ方向およびＹ方向に直交する方向）、これらの、Ｘ、Ｙ、Ｚ方向は、他の図においても、同様の方向を示している。
【００２０】
図１、図２（ａ）（ｂ）等に示すように、櫛１は、棒状の櫛本体２の先端側に櫛歯１５を保護する先端保護部３（櫛歯１５より太い幅の部分）を櫛歯１５と同方向に突設しており、把持部５の一方の端側２ｅには、把持部５の突設箇所となる基部４を設けている。基部４は、図２（ａ）（ｂ）に示す視図方向では略三角形の形状をしており、三角形の頂点に応じた箇所から把持部５を突設させた形態になっている。
【００２１】
櫛本体２は、背面部２ａ（櫛歯１５を設けた側２ｄと反対側となる面）に凹凸面６を形成している。この凹凸面６は、複数の凹部６ａと凸部６ｂで構成されており、ユーザの指先の曲面に沿うように凹部６ａおよび凸部６ｂをなだらかな曲面にすると共に、凹部６ａにユーザの指先が収まるように隣り合う凸部６ｂの頂点間の間隔を設定している（本実施形態では、隣り合う凸部６ｂの頂点間の間隔Ｐ１を約１０ｍｍに設定）。また、櫛本体２は、各凹部６ａに開口するように孔８を凹部６ａごとに穿設している。孔８は、開口形状がＸ方向を長軸とした楕円になるように形成されており、孔深さは、後述する貫通孔９に届いて連通する寸法に設定されている（図２（ｂ）参照）。
【００２２】
さらに、櫛本体２は、図１、図３（ａ）（ｂ）等に示すように、厚み方向（Ｙ方向）に対応する両側の側面部２ｂ、２ｃに、複数の凹箇所７ａ及び凸箇所７ｂを有する湾曲面７をそれぞれ形成している。湾曲面７は、複数の凹箇所７ａのそれぞれが背面部２の各凹部６ａとＸ方向において同位置で、且つ複数の凸箇所７ｂのそれぞれが背面部２の凸部６ｂとＸ方向において同位置となる間隔（たとえば、隣り合う凸箇所７ｂの間隔Ｐ２は、隣り合う凸部６ｂの間隔Ｐ１と同じ寸法）で形成されている。なお、湾曲面７も、背面部２ａの凹凸面６と同様に、ユーザの指先を凹箇所７ｂへ案内できるように、なだらかな曲面で形成されている。
【００２３】
さらにまた、櫛本体２は、両側の側面部２ｂ、２ｃの凹箇所７ａで開口するように、櫛本体２を厚み方向に貫通する貫通孔９を形成している。貫通孔９は、楕円の孔形状（楕円の長軸方向は、Ｘ方向）であり、側面部２ｂ、２ｃにおける開口箇所に楕円のザグリ部９ａ（図３（ｂ）参照）をそれぞれ形成している。このように櫛本体２は、複数の孔８と貫通孔９を設けることで、これらの孔８及び貫通孔９を設けない場合に比べて剛性が低下しており、さらに、孔８と貫通孔９の孔方向（孔の深さ方向）を相異させることで、周囲の様々な方向から外力が加えられた場合に対して柔軟に変形できるようになっている。なお、貫通孔９は、上述したように背面部２ａの孔８と連通している。
【００２４】
また、櫛本体２の把持部５を設けた端側２ｅに形成された基部４は、櫛歯１５の先端側に応じた下辺部４ａに、波状の湾曲辺部１０を形成すると共に、両側の側面部に基部貫通孔１１、第１溝部１２及び第２溝部１３をそれぞれ形成している（図１、図２等参照）。基部貫通孔１１は、斜辺状の下辺部４ａに沿った長穴状であり、櫛本体２の厚み方向に貫通している。また第１溝部１２は、基部貫通孔１１に沿った形状であり、基部貫通孔１１より把持部５を設けた側へ長く形成されている。さらに第２溝部１３は、第１溝部１２に沿った形状であり、第１溝部１２より長く形成されている。なお、基部４は、把持部５を突設させるのに必要な強度を確保した上で、できるだけ柔軟性を確保するために、各溝部１２、１３を貫通させていない。また、基部４は、これら基部貫通孔１１、第１溝部１２および第２溝部１３により、外力を受けた場合に柔軟に変形できるようになっている。
【００２５】
なお、櫛本体２から突設する複数の櫛歯１５は、先端保護部３に隣接する１本のみが、他より突設寸法を短くしており、また各櫛歯１５の間隔は、基部４から先端保護部３へ近づくにつれて、短くなるようにしている。このようにすることで、ユーザが櫛１を使用する場合、先端側の櫛歯１５でも、整髪対象の髪の毛を適切に持ち上げることができる。
【００２６】
次に、図４〜図６等を用いて、本実施形態の櫛１のユーザによる使用状況を具体的に説明する。まず、図４（ａ）に示すように、ユーザが人差し指Ｕを櫛本体２の背面部２ａに当てて櫛１を使用する場合について述べる。ユーザが人差し指Ｕを背面部２ａに当てると、凹凸面６における１つの凹部６ａの両側に位置する２つの凸部６ｂの斜辺に案内されて、指先が凹部６ａに自然と位置するようになる。また、凹部６ａには孔８が開口しているので、凹部６ａに位置する人差し指Ｕの指先が孔８の孔縁８ａに引っ掛かる。そのため、人差し指Ｕは、凹部６ａの両側の凸部６ｂでグリップされると共に、孔縁８ａで指先が引っ掛けられるので、従来の櫛に比べて、櫛１は人差し指に対して良好な滑り止め機能が発揮される。
【００２７】
また、図４（ａ）に示す状態では、人差し指Ｕの指先は、孔８を塞ぐように位置し、孔８が貫通孔９と連通していることから、孔８および貫通孔９を通じて人差し指Ｕの指先は外気と触れるので、薬液や水分等の液分で濡れた人差し指Ｕを櫛本体２の背面部２ａに当てた状態でも、従来に比べて指先は乾きやすくなる。
【００２８】
さらに、人差し指Ｕに付着した液分を積極的に除去することをユーザが望む場合は、図４（ａ）から図４（ｂ）に示すように、指先を孔８の孔縁８ａで拭うように人差し指Ｕを動かすことにより、指先から液分が除去されて孔８へ流れ込む。なお、孔８に流れ込んだ液分は、櫛１の清掃時に連通する貫通孔９から外方へ流し出すことが可能なので、孔８に液分が留まることが無く、櫛１の孔８を清潔に保つことができる。
【００２９】
一方、図５に示すように、櫛本体２の側面部（例えば、一方の側面部２ｂ）に指Ｕを当てて、櫛１を把持するユーザの場合、ユーザの指先は、湾曲面７の１つの凹部７ａの両側に隣接する２つの凸箇所７ｂの斜辺に案内されて、凹箇所７ａに自然と位置するようになる。また、凹箇所７ａには貫通孔９が開口しているので、貫通孔９の孔縁に指先が引っ掛かる。そのため、ユーザの指Ｕは、凹箇所７ａの両側の凸箇所７ｂでグリップされると共に、貫通孔９で指先が引っ掛けられるので、櫛本体２の側面部においても、従来の櫛に比べて滑り止め機能が向上している。
【００３０】
また、図５に示す状態において、ユーザの指は、貫通孔９を塞ぐように位置するので、貫通孔９を通じてユーザの指Ｕは外気と触れるので、薬液や水分等の液分で濡れた指Ｕを櫛本体２の側面部２ｂに当てた状態でも、指先は乾きやすくなる。
【００３１】
さらに、図６に示すように、ＸＹ平面に係る視図の方向で、たとえば把持部５の端部５ａを時計回りの方向へ曲げるように櫛１へ外力を加えた場合を考える。この場合、櫛本体２および基部４は、孔８、貫通孔９および基部貫通孔１１により剛性が低下しているので、柔軟に変形する。そのため、整髪対象となる人の頭部の曲率に合わせて、ユーザが櫛１を曲げる場合、従来の櫛に比べて本実施形態の櫛１が曲がりやすくなっている。また、櫛１は、孔８および貫通孔９の孔方向を相異させているので、ＸＹ平面に係る視図の方向以外の方向に対しても柔軟に曲がりやすくなっており、ユーザの使いやすい方向へ自由に櫛１（櫛本体２または基部４）を曲げることができる。
【００３２】
なお、本発明に係る内容は、上述した実施形態に係る櫛１に限定されるものではなく、別のタイプに櫛にも勿論適用可能であると共に、様々な変形例も考えられる。たとえば、図１等に示す櫛１においては、把持部５を櫛本体２及び基部４等と一体的に成形しているが、把持部５として金属製の棒材を使用し、この棒材を合成樹脂材料からなる櫛本体２及び基部４等に対してインサート成形（アウトサート成形）を行って本発明に係る櫛を形成してもよい（このような金属製棒材の把持部は、後述する把持部を有する各種変形例のタイプ（図８〜図１１等に示すタイプ）にも適用可能）。
【００３３】
また、図７（ａ）（ｂ）は、本発明に係る内容を、突出する把持部を設けていないタイプの櫛２０に適用した場合を示している。この櫛２０は、細長の櫛本体２２の一方側に第１保護部２３（図１等の先端保護部３と同等なもの）を突設すると共に、他方側にも第２保護部２１（第１保護部２３と対称的な形状のもの）を突設している。また、櫛２０は、櫛本体２２の長手方向に沿った中央位置２２ｆから第１保護部２３へ至る範囲には、太目の第１櫛歯３５を並列的に複数突設する一方、中央位置２２ｆから第２保護部２１へ至る範囲には、第１櫛歯３５に比べて細目の第２櫛歯３６を、各第１櫛歯３５の間隔より狭めて並列的に複数突設している。
【００３４】
櫛２０は、櫛本体２０の背面部２２ａで、中央位置２２ｆに応じた中央範囲部２２ｇを除いた範囲に、図１等に示す櫛１と同様に、複数の凹部２６ａおよび凸部２６ｂを有する凹凸面２６を形成し、凹部２６ａに開口するように孔２８を形成している。さらに、櫛２０は、櫛本体２０の両側の側面部２２ｂ、２２ｃで、中央範囲部２２ｇを除いた範囲に、櫛１と同様に、複数の凹箇所２７ａおよび凸箇所２７ｂからなる湾曲面２７を形成し、凹箇所２７ａに開口するように貫通孔２９を形成している。
【００３５】
このような構成の櫛２０も、上述した櫛１と同様に滑り止め機能が向上していると共に、ユーザの指先に付着した液分を適切に除去でき、さらには、ユーザの使用状況に応じて柔軟に櫛本体２０を曲げることが可能になっている。なお、櫛２０は、中央範囲部２２ｇにおいては背面部２２ａの凹凸面２６および側面部２２ｂ、２２ｃの湾曲面２７を設けずにフラットな平面にすることで、第１櫛歯３５をメインに使用する場合と第２櫛歯３６をメインに使用する場合とを切り替えるときに、ユーザが中央範囲部２２ｇで櫛２０を持ち替えやすくしている。
【００３６】
図８の櫛４０は、図１等に示す櫛１に関する変形例を示している。櫛４０は櫛１と同等に、複数本の櫛歯４１を並列的に突設する櫛本体４２に設けた基部４４から棒状の把持部４５を突出させたタイプの櫛であり、背面部４２ａに、複数の凹部４６ａおよび凸部４６ｂを有する凹凸面４６を形成し、凹部４６ａに開口するように孔４８を形成している（側面部４２ｂ、４２ｃには湾曲面を形成していない）。この櫛４０は、背面部４２ａに人差し指を当てて使用するユーザに好適なモデルであり、凹凸面４６の隣り合う２つの凸部４６ｂで、ユーザの指を凹部４６ａへ案内し、これらの凸部４６ｂと、凹部４６ａの孔４８により、優れたグリップ機能を発揮すると共に、孔４８で指先を拭えるようにしている。
【００３７】
なお、図８の櫛４０をベースに考えられる更なる変形例としては、櫛本体４２の側面部４２ｂ、４２ｃに、櫛本体４２を幅方向に貫通する貫通孔のみを複数形成することが考えられ、さらにこれらの貫通孔は孔４８と連通してもよい。さらに別の変形例としては、櫛本体４２の側面部４２ｂ、４２ｃの少なくとも一方に、湾曲面（図１、図３等に示す湾曲面７を参照）のみを形成することも考えられる（図８の櫛４０で湾曲面を形成する場合、貫通孔は設けない。）。
【００３８】
また、図９の櫛５０は、図１等に示す櫛１に関する別の変形例を示し、図８の櫛４０より更に構成を簡易化したものである。具体的に櫛５０は、櫛歯５１を突設する櫛本体５２に設けた基部５４から把持部５５を突出しており、背面部５２ａに、複数の孔５８を所定の間隔（たとえば約１０ｍｍピッチ）をあけて形成している。この変形例の櫛５０では、背面部５２ａに凹凸面を形成しておらず、両側の側面部にも湾曲面を形成していないが、背面部５２ａの各孔５８でユーザの人差し指の指先を引っ掛けることが可能であるので簡易な構成で滑り止め機能を実現でき、また、各孔５８で指先を拭うことで、指先に付着した液分を除去することもできる。
【００３９】
なお、図９の櫛５０をベースにした更なる変形例としては、上述した図８の櫛４１と同様に、櫛本体５２の側面部に貫通孔のみを複数形成することが考えられ（各貫通孔は孔５８と連通させることも可能）、さらには櫛本体５２の側面部の少なくとも一方に湾曲面のみを形成することも考えられる（湾曲面を形成する場合は、貫通孔無し）。
【００４０】
さらに、図１０の櫛６０は、図１等に示す櫛１に関する更に別の変形例を示している。この変形例の櫛６０は、櫛歯６１を突設する櫛本体６２に設けた基部６４から把持部６５を突出し、櫛本体６２の両側の側面部６２ｂ、６２ｃに、複数の凹箇所６７ａおよび凸箇所６７ｂからなる湾曲面６７を形成し、凹箇所６７ａに開口するように貫通孔６９を形成している。なお、櫛６０は、背面部６２ａに、孔および凹凸面の両方を形成していない。
【００４１】
このような櫛６０は、櫛本体６２の側面部６２ｂ（または側面部６２ｃ）に指を当てて櫛を把持するタイプのユーザに好適なモデルであり、湾曲面６７の隣り合う２つの凸箇所６７ｂで、それらの間に位置する凹箇所６７ａへユーザの指を案内し、これらの凸箇所６７ｂと、凹箇所６７ａの貫通孔６９により、優れたグリップ機能を発揮すると共に、貫通孔６９で把持状態でも指先を外気に晒すことができるようにしている。なお、櫛６０の湾曲面６７は、両側の側面部６２ｂ、６２ｃに設ける以外にも、いずれか一方の側面部のみ（側面部６２ｂのみ、または側面部６２ｃのみ）に設けることも可能である（このことは、図１等の櫛１および図７（ａ）（ｂ）の櫛２０でも同様）。さらに、図１０の櫛６０をベースにした更なる変形例としては、櫛本体６２の背面部６２ａに凹凸面（図１、図２等の凹凸面６参照）のみを形成すること等が考えら、このように凹凸面のみを形成した場合では、貫通孔６９を省略するパターンも考えられる。
【００４２】
さらにまた、図１１の櫛７０は、図１等に示す櫛１に関する更に他の別の変形例を示しており、この変形例の櫛７０は、図１等に示す櫛１から背面部２ａの凹凸面６および側面部２ａ、２ｃにおける貫通孔９を省略した形態になっている。すなわち、櫛７０は、櫛歯７１を突設する櫛本体７２に設けた基部７４から把持部７５を突出し、櫛本体７２の両側の側面部７２ｂ、７２ｃに、複数の凹箇所７７ａおよび凸箇所７７ｂからなる湾曲面７７を形成し、櫛本体７２の背面部７２ａに複数の孔７８を形成したものになっている。このような簡易な構成であっても、背面部７２ａに対しては、孔７８で滑り止め機能を発揮でき、側面部７２ａ、７２ｂに対しては湾曲面７７で滑り止め機能を発揮できる。なお、図１１の櫛７０に対しても、湾曲面７７の凹箇所７７ａに貫通孔を形成することも勿論可能である。
【００４３】
また、上述した図８〜図１１に示す各種変形例に係る内容は、図７（ａ）（ｂ）に示すタイプ（把持部を突設させないタイプ）の櫛にも勿論適用可能である。
【産業上の利用可能性】
【００４４】
櫛本体の各部に孔及び凹凸を設けることにより、滑り止め機能およびユーザの指先に付着した液分の除去機能等が一段と向上し、さらには櫛本体の剛性が低下して柔軟に曲げやすくなったので、理容・美容分野等における整髪に係る作業の効率化を図れる。
【符号の説明】
【００４５】
１、２０、４０、５０、６０、７０  櫛
２、２２、４２、５２、６２、７２  櫛本体
２ａ、２２ａ、４２ａ、５２ａ、６２ａ、７２ａ  背面部
２ｂ、２ｃ、２２ｂ、２２ｃ、４２ｂ、４２ｃ、６２ｂ、６２ｃ、７２ｂ、７２ｃ  側面部
４、４４、５４、６４、７４  基部
５、４５、５５、６５、７５  把持部
６、２６、４６  凹凸面
６ａ、２６ａ、４６ａ  凹部
６ｂ、２６ｂ、４６ｂ  凸部
７、２７、６７  湾曲面
７ａ、２７ａ、６７ａ、７７ａ  凹箇所
７ｂ、２７ｂ、６７ｂ、７７ｂ  凸箇所
８、２８、４８、５８、７８  孔
９、２９、６９  貫通孔
１１  基部貫通孔
１５、４１、５１、６１、７１  櫛歯
【図１】
2010094564.tif 000003
【図２】
2010094564.tif 000004
【図３】
2010094564.tif 000005
【図４】
2010094564.tif 000006
【図５】
2010094564.tif 000007
【図６】
2010094564.tif 000008
【図７】
2010094564.tif 000009
【図８】
2010094564.tif 000010
【図９】
2010094564.tif 000011
【図１０】
2010094564.tif 000012
【図１１】
2010094564.tif 000013